(57)【要約】【課題】収録すべき素材データを取り違えることなく正確に収録し、オペレータの作業を軽減する。【解決手段】ビデオサーバ１のＣＰＵ１１は、素材データが入力されると、素材照合部１３により素材データに設けられるクレジット領域から素材識別情報を検出する。そして、収録すべき素材識別情報と検出された素材識別情報を照合して、一致するか否かを判定する。この判定において素材識別情報が一致する場合には、入力された素材データをエンコーダ１４により圧縮したのちに記録装置１５に収録する。一方、一致しない場合には、収録すべき素材データが異なる旨を表す警告情報をモニタ１７に出力し、オペレータに再収録を促す。【選択図】図１
2007058938.tif 000002
【特許請求の範囲】
【請求項１】
素材識別情報が収録されたクレジット領域が設けられる素材データを収録し、送出するビデオサーバであって、
指定された素材識別情報に応じて前記素材データの入力を受け付ける入力手段と、
前記入力された素材データのクレジット領域から前記素材識別情報を検出する検出手段と、
前記検出された素材識別情報が前記指定された素材識別情報と一致するか否かを判定する判定手段と、
前記判定手段により一致すると判定された場合に、前記素材データを収録する収録手段と、
前記判定手段により一致しないと判定された場合に、警告情報を通知する通知手段と
を具備することを特徴とするビデオサーバ。
【請求項２】
素材識別情報が収録されたクレジット領域が設けられる素材データを収録し、送出するビデオサーバに用いられ、
指定された素材識別情報に応じて前記素材データの入力を受け付けるステップと、
前記入力された素材データのクレジット領域から前記素材識別情報を検出するステップと、
前記検出された素材識別情報が前記指定された素材識別情報と一致するか否かを判定するステップと、
前記判定手段により一致すると判定された場合に、前記素材データを収録するステップと、
前記判定手段により一致しないと判定された場合に、警告情報を通知するステップと
を具備することを特徴とする素材データ収録方法。
【発明の詳細な説明】
【技術分野】
【０００１】
この発明は、例えば、素材データを収録し、送出するビデオサーバ及び素材データ収録方法に関する。
【背景技術】
【０００２】
一般に、放送局では、編成局から指定される素材データの収録処理を手作業で行っている。収録すべき素材データは、編成局からファイリングデータにより指定される。このファイリングデータには、収録対象の素材データを識別する素材識別情報の一覧が含まれ、オペレータは、ファイリングデータの素材識別情報と素材データが記録される記録媒体のパッケージに記載された素材識別情報と目視で照合して対応する素材データを収録している。
【０００３】
なお、例えば、予め登録しておいた文字データと素材データから抽出されたテロップとを比較することで、素材データのテロップの正誤を監視する手法が提案されている（特許文献１を参照。）。
【特許文献１】特開２００３−３１９４２３公報
【発明の開示】
【発明が解決しようとする課題】
【０００４】
ところが、上述したように、ビデオサーバに素材データを収録する際に、目視で素材識別情報を照合しているため、本来収録すべき素材とは異なる素材を誤って収録してしまう場合があった。このため、ビデオサーバに収録された素材データを再生して確認する必要があり、手間や時間を要していた。
【０００５】
この発明は上記事情に着目してなされたもので、その目的とするところは、収録すべき素材データを取り違えることなく正確に収録し、オペレータの作業を軽減することができるビデオサーバ及び素材データ収録方法を提供することにある。
【課題を解決するための手段】
【０００６】
上記目的を達成するためにこの発明に係わるビデオサーバ及び素材データ収録方法は、素材識別情報が収録されたクレジット領域が設けられる素材データを収録し、送出するビデオサーバであって、指定された素材識別情報に応じて前記素材データの入力を受け付ける入力手段と、前記入力された素材データのクレジット領域から前記素材識別情報を検出する検出手段と、前記検出された素材識別情報が前記指定された素材識別情報と一致するか否かを判定する判定手段と、前記判定手段により一致すると判定された場合に、前記素材データを収録する収録手段と、前記判定手段により一致しないと判定された場合に、警告情報を通知する通知手段
を具備することものである。
【０００７】
上記構成によるビデオサーバ及び素材データ収録方法では、クレジット領域に含まれる素材識別情報を検出し、収録すべき素材識別情報と照合して、一致しない場合には、警告を出力し、再収録を促すようにしている。これにより、収録すべき素材データを取り違えることなく正確に収録することが可能となる。また、素材データに設けられるクレジット領域に含まれる素材識別情報を検出し、収録すべき素材識別情報と照合するようにしているため、収録後に再生して確認する手間を省くことができるため、収録に要する作業時間が短縮される。
【発明の効果】
【０００８】
したがってこの発明によれば、収録すべき素材データを取り違えることなく正確に収録し、オペレータの作業を軽減することができるビデオサーバ及び素材データ収録方法を提供することができる。
【発明を実施するための最良の形態】
【０００９】
以下、図面を参照しながら本発明の実施の形態を詳細に説明する。  
図１は、この発明に係わるビデオサーバの一実施形態を示すブロック構成図である。ビデオサーバ１は、中央処理ユニット（ＣＰＵ：Central Processing Unit）１１を備え、このＣＰＵ１１にバスを介して、入力インタフェース（入力Ｉ／Ｆ）１２と、素材照合部１３と、エンコーダ１４と、記録装置１５と、出力インタフェース（出力Ｉ／Ｆ）１６と、モニタ１７と、デコーダ１８とが接続される。
【００１０】
ＣＰＵ１１の制御の下、入力Ｉ／Ｆ１２により受け付けられた放送素材用のビデオデータ（以下、素材データ）は、エンコーダ１４において、圧縮符号された後、記録装置１５に収録される。圧縮符号方式には、例えば、ＭＰＥＧ−２（Moving Picture Experts Group-phase2）が用いられる。また、デコーダ１８は、ＣＰＵ１１制御の下、記録装置１５から読み出された圧縮素材データをベースバンドに伸長する。このベースバンドによる素材データが、オンエア映像として出力Ｉ／Ｆ１６から送出される。
【００１１】
ところで、ビデオサーバ１に収録する素材データは、磁気テープ等の記録媒体に記録されており、記録媒体のパッケージには、素材を識別する素材識別情報（英数字など）と、製作者、素材名、オンエア期間等の素材情報が記載されている。また、素材データに設けられるクレジット領域（例えば、素材先頭からＮ秒後など）には、上記素材識別情報と、製作者、素材名、オンエア期間等に加え、再生に関する情報等が文字や音声で記録されている。ビデオサーバ１に設けられる素材照合部１３は、入力された素材データから素材識別情報を文字または音声認識技術を用いて検出し、この素材識別情報をもとに収録すべき対象であるか否かを判定する機能を有する。
【００１２】
次に、このように構成されるビデオサーバ１の動作について説明する。図２は、ビデオサーバ１における素材データの収録動作の手順とその内容を示すフローチャートである。これに先立ち、ビデオサーバ１には、編成局から指定される収録すべき素材の素材識別情報を含むファイリングデータが入力されているものとする。
【００１３】
先ず、ステップＳ２１において、ビデオサーバ１のＣＰＵ１１は、オペレータにより指定された素材識別情報をモニタ１７に表示する。表示された素材識別情報をもとに、オペレータが対応する素材データが記録された記録媒体（磁気テープなど）を挿入すると、ステップＳ２２において、ＣＰＵ１１制御の下、入力Ｉ／Ｆ１２により素材データを受け付ける。
【００１４】
次に、ステップＳ２３において、ＣＰＵ１１は、素材照合部１３により素材データのクレジット領域から素材識別情報を検出する。そして、ステップＳ２４において、指定された素材識別情報と検出された素材識別情報とを照合し、一致するか否かを判定する。上記判定により素材識別情報が一致する場合は、ステップＳ２５に移行し、エンコーダ１４により圧縮したのちに記録装置１５に収録する。一方、ステップＳ２４の判定により、素材識別情報が一致しない場合は、ステップＳ２６に移行し、収録すべき素材データが異なる旨を表す警告情報をモニタ１７に出力し、オペレータに再収録を促す。
【００１５】
以上述べたようにこの実施形態では、ビデオサーバ１のＣＰＵ１１は、素材データが入力されると、素材照合部１３により素材データに設けられるクレジット領域から素材識別情報を検出し、収録すべき素材識別情報と検出された素材識別情報を照合して一致するか否かを判定する。素材識別情報が一致する場合には、エンコーダ１４により圧縮したのちに記録装置１５に収録し、一致しない場合には、収録すべき素材データが異なる旨を表す警告情報をモニタ１７に出力し、オペレータに再収録を促すようにしている。
【００１６】
したがって上記実施形態によれば、誤った素材データを入力した場合には、警告が出力されるため、収録すべき素材データを取り違えることなく正確に収録することができる。また、素材データに設けられるクレジット領域に含まれる素材識別情報を検出し、収録すべき素材識別情報と照合するため、収録後に再生して確認する手間を省くことができるため、作業時間を短縮し、オペレータの作業を軽減することが可能となる。
【００１７】
なお、この発明のビデオサーバは、図１に示す構成に限定されるものではない。例えば、エンコーダ１４及びデコーダ１８は必ずしも必要ではなく、素材データをベースバンドの状態で記録装置１５に収録するように構成してもよい。また、素材データのクレジット領域に含まれる素材情報や素材ファイルの収録処理の手順とその内容についてもこの発明の要旨を逸脱しない範囲で種々変更して実施できる。
【００１８】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００１９】
【図１】この発明に係わるビデオサーバの一実施形態を示すブロック構成図。
【図２】図１に示すビデオサーバにおける素材データの収録動作の手順とその内容を示すフローチャート。
【符号の説明】
【００２０】
１…ビデオサーバ、１１…ＣＰＵ、１２…入力インタフェース、１３…素材照合部、１４…エンコーダ、１５…記録装置、１６…出力インタフェース、１７…モニタ、１８…デコーダ。
【図１】
2007058938.tif 000003
【図２】
2007058938.tif 000004